(57)【要約】【課題】異物除去装置に用いられ、鉄片や鉄粉を吸着除去するためのバーマグネットであり、特に、安全型や組立て性のの向上が図れる安全型バーマグネット及びその組立て方法を提供する。【解決手段】安全型バーマグネットはヨークとマグネットとをセンタシャフトに交互に挿入し、この両端にねじ部を有するヨークを螺着した内側モジュールとこの外面を被包するチューブとヨークに当接しセンタシャフトのねじ部に螺着されるエンドプラグとからなる外側モジュールを組付けたものからなる。【特許請求の範囲】
【請求項１】
両端にねじ部を形成するセンタシャフトと、該センタシャフトに交互に挿入されるヨーク（極板）及びマグネットと、前記センタシャフトの前記ねじ部に螺合して前記ヨーク及びマグネットを押圧接合させるエンドプラグと、該エンドプラグに両側端を当接又は固着すると共に前記ヨーク及びマグネットのすべてを被包するチューブとを有するバーマグネットであって、該バーマグネットは、前記エンドプラグに隣接する前記ヨークが、前記センタシャフトの前記ねじ部に螺合するねじ部を貫通形成するものからなることを特徴とする安全型バーマグネット。
【請求項２】
前記請求項１に記載の安全型マグネットの組立て方法であって、該方法は、前記センタシャフトの一端側のねじ部に前記エンドプラグ及びねじ部を有するヨークを螺着させると共に前記センタシャフトにマグネット及びヨークを交互に挿入する第１の手順と、前記センタシャフトの他端側のねじ部にねじ部を有するヨークを螺着させる第２の手順と、前記ヨーク及びマグネットの外面にこれ等を被包するチューブを挿入し前記チューブと前記エンドプラグとを接合又は固着させる第３の手順と、前記センタシャフトの他端側のねじ部にエンドプラグを螺着し該エンドプラグをねじ部を有するヨークに圧接すると共に前記チューブの側端に接合又は固着させる第４の手順とからなることを特徴とする安全型マグネットの組立て方法。
【発明の詳細な説明】
【技術分野】
【０００１】
本発明は、例えば、金属粉や金属片等の異物を吸着除去するために使用されるバーマグネットに係り、特に、安全性があり、組付けも安全に、かつ容易にできる安全型バーマグネット及びその組立て方法に関する。
【背景技術】
【０００２】
例えば、各種原料内には鉄片や鉄粉等が混在している場合が多く、原料の使用前に鉄片や鉄粉等の異物を除去する必要がある。この目的を果すための装置として従来より異物除去装置があるが、この装置の主構成要素としてバーマグネットが使用されている。勿論、バーマグネットは前記目的に限定するものではない。このバーマグネットの構造としては、例えば、「特許文献１」や「特許文献２」が挙げられる。
【特許文献１】特許３１５７３８７（図６）
【特許文献２】特開２００４−１６９５７（図１）
【発明の開示】
【発明が解決しようとする課題】
【０００３】
前記の「特許文献１」や「特許文献２」に開示するバーマグネットは、例えば、ネオジウム系の希土類磁石であるマグネットと、極板としてのヨークを交互に軸線方向に沿って隣接して配置し、この両側端にエンドプラグを配置し、マグネットやヨークのすべてを被包するチューブの両側端をエンドプラグに固着したものからなる。なお、マグネットは極Ｎ，Ｓを交互に逆向きに配置したものからなり、マグネットやヨークのすべては両端に配置したエンドプラグにより押圧接合された状態で配置される。
【０００４】
以上の構造のバーマグネットは外面に大きな磁力を発生する棒体となり、前記したように異物除去装置の主要構成要素として吸着機能を果すものであるが、次のような問題点がある。このバーマグネットは前記のように外面に大きな磁力を発生すると共に軸線方向に対して大きな軸力を発生させているものからなる。この軸力はチューブに固着されているエンドプラグにより保持されている。このため、もしこの固着箇所に破断等が生ずると、エンドプラグによる軸線方向の保持力がなくなり、その結果、マグネットやヨークが軸線方向に飛び出す結果を招く。
【０００５】
一方、バーマグネットの組立て方法としては、一方側のエンドプラグにヨークやマグネットを押圧しながら重ね合わせ、これ等にチューブを被包させてこれをエンドプラグに接合又は固着し、最後に他方側のエンドプラグをチューブに固着する手順を行うことになる。前記のようにヨーク及びマグネットは軸線方向に大きな軸力を発生させているため、以上の組立て方法の場合は組立て中に常にヨークやマグネットを前記の軸力に抗して手動等により押圧しながら組立てることになり、作業が極めてやり難く、かつ安全性において問題がある。
【０００６】
本発明は、以上の事情に鑑みて発明されたものであり、製作時及びメンテナンス時において安全性を有し、かつ組立て性がよい安全型バーマグネット及びその組立て方法を提供することを目的とする。
【課題を解決するための手段】
【０００７】
本発明は、以上の目的を達成するために、請求項１の発明は、両端にねじ部を形成するセンタシャフトと、該センタシャフトに交互に挿入されるヨーク（極板）及びマグネットと、前記センタシャフトの前記ねじ部に螺合して前記ヨーク及びマグネットを押圧接合させるエンドプラグと、該エンドプラグに両側端を当接又は固着すると共に前記ヨーク及びマグネットのすべてを被包するチューブとを有するバーマグネットであって、該バーマグネットは、前記エンドプラグに隣接する前記ヨークが、前記センタシャフトの前記ねじ部に螺合するねじ部を貫通形成するものからなることを特徴とする。
【０００８】
また、請求項２の発明は、前記請求項１に記載の安全型マグネットの組立て方法であって、該方法は、前記センタシャフトの一端側のねじ部に前記エンドプラグ及びねじ部を有するヨークを螺着させると共に前記センタシャフトにマグネット及びヨークを交互に挿入する第１の手順と、前記センタシャフトの他端側のねじ部にねじ部を有するヨークを螺着させる第２の手順と、前記ヨーク及びマグネットの外面にこれ等を被包するチューブを挿入し前記チューブと前記エンドプラグとを接合又は固着させる第３の手順と、前記センタシャフトの他端側のねじ部にエンドプラグを螺着し該エンドプラグをねじ部を有するヨークに圧接すると共に前記チューブの側端に接合又は固着させる第４の手順とからなることを特徴とする。
【発明の効果】
【０００９】
本発明の請求項１の発明によれば、センタシャフトに挿入されたヨークやマグネットがねじ部を有するヨークにより固定され、それ自体として持ち運び可能のモジュールとなる。このモジュールにチューブやエンドプラグを挿入又は組付ければよく、作業が容易に、かつ安全に行われる。
【００１０】
また、請求項２の発明によれば、本発明の安全型マグネットは第１の手順から第４の手順により安全に、かつ容易に組付けられる。
【発明を実施するための最良の形態】
【００１１】
以下、本発明の安全型バーマグネット及びその組立て方法の実施の形態を説明する。本発明の安全型バーマグネットは大別して内側モジュールと外側モジュールとから構成されこれ等を組付けたものからなる。
【実施例１】
【００１２】
内側モジュールとしては、センタシャフトとヨークとマグネットとから構成され、センタシャフトの軸線方向に沿ってヨークとマグネットを交互に配置したものからなる。センタシャフトは細長のロッド体からなり、その両端にねじ部を形成したものからなる。マグネットは、例えば、従来技術において説明した円筒体状のものからなり、その中心にセンタシャフトに挿入可能な貫通孔を形成したものからなる。また、ヨークはマグネットと同一外径の円筒体からなり、その中心にセンタシャフトに挿入可能な貫通孔を形成したものからなる。ヨークの内、両側端に配置されるヨークは他のヨークと同一形状のものからなるが、その中心にはセンタシャフトのねじ部に螺着するねじ部を貫通形成したものからなる。即ち、内側モジュールは、センタシャフトに交互に挿入されたヨーク及びマグネットをセンタシャフトの両端のねじ部に螺合ねじ付のヨークで保持したものからなる。
【００１３】
一方、外側モジュールはエンドプラグとチューブとからなる。なお、エンドプラグにはセンタシャフトのねじ部に螺合するねじ部を有するものからなる。なお、ねじ部は行き止り穴でも貫通孔でも構わない。
【００１４】
次に、本発明の安全型バーマグネットの組立て方法を説明する。
【００１５】
まず、第１の手順を説明する。センタシャフトの一端側のねじ部にヨーク及びエンドプラグを螺着させる。次に、ヨークにマグネットを接合させ、次にマグネットにヨークを接合させ、以下、順にマグネットとヨークとを交互に接合させながら重合する。
【００１６】
次に、第２の手順に入る。第１の手順により、すべてのヨークとマグネットがセンタシャフトに挿入されたら、センタシャフトの他端側のねじ部にヨークを螺合させ、ヨーク及びマグネットをセンタシャフトの軸線方向に押圧し、ヨークによる螺合を完成させる。以上により、前記の内側モジュールが完成される。この内側モジュールはセンタシャフトの両端のねじ部に螺着されたヨークにより固定され、ヨークやマグネットの軸力は両端のヨークの螺着力により保持され、それ自体として持ち運び可能な独立部材となる。
【００１７】
次に、第３の手順に入る。第３の手順は、第２の手順により組付けられた内側モジュールの外面にチューブを挿入してこれ等を被包するものからなる。即ち、チューブを挿入し、その一端側をエンドプラグに当接し、接合又は固着させるものからなる。
【００１８】
第４の手順は、第３の手順の状態にあるセンタシリンダの他方側のねじ部にエンドプラグを螺着させ、エンドプラグをチューブの側端とヨークに当接させるものからなる。ここでエンドプラグとチューブとを接合又は固着させる。以上により、安全型バーマグネットが作成される。
【００１９】
以上のように、本発明の安全型バーマグネットは内側モジュールをまず組付けて独立した構成部材とした後に外側モジュールを内側モジュールと合体させるものからなり、両者の合体は極めて簡単であり、安全である。また、仮りに外側モジュールに損傷が生じても、ヨークやマグネットは両端のねじ付のヨークにより保持されているため、ヨークやマグネットの飛び出しは生じない。このため、極めて安全である。また、前記の第１の手順から第４の手順の組付け作業も簡単であり、従来のものに比較して安全性も高く、かつ組付け性もよい。また、メンテナンス時における分解作業も従来のものに較べて容易であり、かつ安全性が高い。
【産業上の利用の可能性】
【００２０】
本発明の安全型バーマグネットは前記のように異物除去装置の主構成要素として採用されるものであるが、その用途はこれに限定するものではなく、異物の吸着除去を必要とするすべての装置の適用され、その利用範囲は広い。